(57)【要約】【課題】    土地区画整理に関する証明書発行システムにおいて、仮換地の変更中の仮換地に関する証明書類の誤発行を防止する。【解決手段】  本発明の証明書発行システムは、仮換地内容の変更予告を入力する変更予告入力手段４ａと、仮換地内容の変更完了を入力する変更完了入力手段４ｂと、前記変更予告入力手段４ａにより特定の仮換地に関する変更予告が入力されたときに当該仮換地に関する証明書の発行機能を停止し、前記変更完了入力手段４ｂにより当該仮換地に関する変更完了が入力されたときに当該仮換地に関する証明書発行の発行機能停止を解除する証明書発行停止手段２ａを備えている。【選択図】      図１
2008033520.tif 000002
【特許請求の範囲】
【請求項１】
土地区画整理に関する証明書発行システムにおいて、仮換地内容の変更予告を入力する変更予告入力手段４ａと、仮換地内容の変更完了を入力する変更完了入力手段４ｂと、前記変更予告入力手段４ａにより特定の仮換地に関する変更予告が入力されたときに当該仮換地に関する証明書の発行機能を停止し、前記変更完了入力手段４ｂにより当該仮換地に関する変更完了が入力されたときに当該仮換地に関する証明書発行の発行機能停止を解除する証明書発行停止手段２ａを備えたことを特徴とする土地区画整理に関する証明書発行システム。
【請求項２】
請求項１において、前記証明書は仮換地証明書１８、保留地証明書１９または底地証明書２０であることを特徴とする土地区画整理に関する証明書発行システム。
【請求項３】
請求項１または請求項２において、前記証明書発行停止手段２ａにより証明書の発行機能が停止した際に、その停止を一時的に解除する一時的解除手段２ｂが設けられることを特徴とする土地区画整理に関する証明書発行システム。
【請求項４】
請求項１ないし請求項３のいずれかにおいて、前記証明書を発行する際にその内容を表示するための証明書発行表示部５ａが設けられ、前記変更予告入力手段４ａにより特定の仮換地に関する変更予告が入力されているときには、証明書発行操作を行うと、前記証明書発行表示部５ａに当該仮換地が変更中であることのメッセージを表示するように構成されていることを特徴とする土地区画整理に関する証明書発行システム。
【発明の詳細な説明】
【技術分野】
【０００１】
本発明は土地区画整理に関する証明書発行システムに係わり、特に仮換地の内容変更中は証明書の発行を停止し、誤った証明書が発行されることを防止する証明書発行システムに関する。
【背景技術】
【０００２】
従来から、区画や形状が不規則な土地を整理して利用価値の高い土地に改良する土地区画整理事業が全国各地で実施されている。土地区画整理は旧来の土地（底地）を整理して新たな複数の街区に編成し、各街区内に複数の画地を形成するのであるが、通常、その整理事業は土地整理事業者としての組合（土地区画整理事業組合）を結成し、その組合が主体となって整理事業の企画・設計および管理等を実施することが多い。
【０００３】
それぞれの新しい画地は換地された土地群であり、区画整理事業が完了して換地の登記が完了するまでそれらの換地は仮換地と呼ばれる。そして仮換地の大部分の所有権等の権利は底地の権利者に配分され、一部の仮換地は保留地として公売して区画整理事業の資金の一部に供される。（本発明では特に断らない限り、単に「仮換地」というときは保留地に変えない仮換地と保留地に変えた仮換地の両方を意味するが、仮換地のうち保留地に変えたものを特に指定するときは「保留地」の用語を使用する。）
【０００４】
土地区画整理事業は数年または十数年に亘り長期に継続することが多く、その間の整理中の土地は正式な登記ができないので第三者への売買や担保提供は不可能である。そこで整理中の土地についての第三者への売買や担保提供等を可能にするため、土地整理事業者が土地台帳を整備して仮換地の権利関係を管理し、仮換地の権利関係を証明する書類、すなわち仮換地証明書（または保留地証明書）を発行する方法が採用されている。そして、このような土地区画整理に関する権利関係等をコンピュータで管理して証明書を自動的に発行するシステムが特許文献１に記載されている。
【０００５】
【特許文献１】特開平１０−３１７０４号公報
【発明の開示】
【発明が解決しようとする課題】
【０００６】
特許文献１に記載されているシステムでは、土地区画整理事業を行っている際に、仮換地に関する土地情報や権利者情報を互いに関連付けて記憶手段に記憶し、当該仮換地に関する街区や画地に関する情報やキーワードを入力手段から入力すると、当該仮換地に関する証明書類が自動的に出力するように構成されている。前記のように、一般に土地区画整理事業は長期に亘って継続することが多いが、その間には街区や画地の企画・設計を見直して、画地の形状や境界、または道路の追加、削除もしくは変更等を行う、いわゆる「仮換地の変更」を行う場合がある。
【０００７】
そのような変更がなされる場合、仮換地についての企画・設計の変更が完了し内容が確定するまでは、コンピュータの記憶手段の記憶内容を変更後の新たな土地情報に更新できない。そのため従来のシステムでは、企画・設計の変更中においても、従前の土地情報に基づいて当該仮換地に関する証明書を誤って発行してしまう恐れがあった。このように実情と異なる証明書が誤って発行されると、土地取引や担保設定において種々の混乱を引き起こすので好ましくない。
【０００８】
また、区画整理事業者が土地区画整理に関する権利関係等をコンピュータで管理して証明書を発行するシステムを採用している場合、コンピュータの記憶手段に記憶する土地情報等は正確を期す必要があるので、それらの情報の入力作業や更新作業を外部の専門業者に委託する場合もある。そのような場合、土地区画整理事業者から専門業者に更新依頼を送り、それを受託した専門業者はコンピュータの記憶手段における権利情報を更新する資料を土地区画整理事業者に送り返す作業が必要になる。
【０００９】
この送り返し作業は、専門業者がコンピュータの記憶手段の記憶内容を通信回線で直接更新するオンライン方式と、専門業者から土地区画整理事業者に更新すべき記憶内容を記載したＣＤやフロッピー（登録商標）等の記憶媒体を送り、土地区画整理事業者がその記録媒体を用いてコンピュータの記憶手段の記憶内容を更新するオフライン方式のいずれも採用することができる。
【００１０】
しかし、上記何れの方式を採用したとしても、土地区画整理事業者と専門業者間の情報のやり取りや手続き等にかなりの時間を要するので、例えば仮換地についての権利関係が変更された場合、その権利者情報（変更内容）が専門業者を経由してコンピュータの記憶手段の記憶内容の更新が完了するまでは、更新前の権利者情報に基づく証明書の誤発行が起こる恐れがある。そこで本発明はこのような従来の土地区画整理に関する証明書の誤発行問題を解決することを課題とし、そのための新しい土地区画整理に関する証明書発行システムを提供することを目的する。
【課題を解決するための手段】
【００１１】
前記課題を解決する本発明の土地区画整理に関する証明書発行システムは、仮換地内容の変更予告を入力する変更予告入力手段４ａと、仮換地内容の変更完了を入力する変更完了入力手段４ｂと、前記変更予告入力手段により特定の仮換地に関する変更予告が入力されたときに当該仮換地に関する証明書の発行機能を停止し、前記変更完了入力手段により当該仮換地に関する変更完了が入力されたときに当該仮換地に関する証明書発行の発行機能停止を解除する証明書発行停止手段２ａを備えたことを特徴とする（請求項１）。
【００１２】
上記システムにおいて、前記証明書は仮換地証明書、保留地証明書または底地証明書とすることができる（請求項２）。
【００１３】
上記いずれかのシステムにおいて、前記証明書発行停止手段２ａにより証明書の発行機能が停止した際に、その停止を一時的に解除する一時的解除手段２ｂを設けることができる（請求項３）。
【００１４】
さらに上記いずれかのシステムにおいて、前記証明書を発行する際にその内容を表示するための証明書発行表示部５ａを設け、前記変更予告入力手段４ａにより特定の仮換地に関する変更予告が入力されているときには、前記証明書発行表示部５ａに当該仮換地が変更中であることのメッセージまたはエラーメッセージを表示するように構成できる（請求項４）。
【発明の効果】
【００１５】
本発明のシステムは、請求項１に記載のように、変更予告入力手段により特定の仮換地に関する変更予告が入力されたときに当該仮換地に関する証明書の発行機能を停止し、前記変更完了入力手段により当該仮換地に関する変更完了が入力されたときに当該仮換地に関する証明書発行の発行機能停止を解除する証明書発行停止手段を備えたことを特徴とする。そのため仮換地の内容や権利関係の変更が予告された後は証明書の発行機能が停止されるので、証明書の誤発効が防止でき、土地取引や担保設定において種々の混乱を引き起こす恐れがなくなる。
【００１６】
上記システムにおいて、請求項３に記載のように、前記証明書発行停止手段により証明書の発行機能が停止した際に、その停止を一時的に解除する一時的解除手段を設けることができる。このような一時解除手段を向けることにより、仮換地の変更予告中であっても特別な目的を持つ場合、または証明書の内容確認が必要になった場合等には随時証明書を発行できるシステムに拡張できる。
【００１７】
さらに上記いずれかのシステムにおいて、請求項４に記載のように、変更予告入力手段により特定の仮換地に関する変更予告が入力されているときには、証明書発行操作を行うと前記証明書発行表示部に当該仮換地が変更中であることのメッセージまたはエラーメッセージを表示するように構成できる。このように構成すると、変換予告が入力されている仮換地について証明書発行操作を行ったときに、その事実を操作者が迅速に把握でき、適切な処置をとることが可能になる。
【発明を実施するための最良の形態】
【００１８】
次に図面を基に本発明を実施するための最良の形態を説明する。図１は本発明に係る証明書発行システムの構成を説明するブロック図である。証明書発行システム１はコンピュータシステムにより構成され、主要構成要素として処理装置２、記憶部３、入力部４、表示部５、出力部６を備えている。
【００１９】
処理装置２はコンピュータにより構成され、システム制御、証明書の発行機能とその停止・解除制御等を行い、必要に応じてインターネット等の通信回線との接続と通信制御を行うことができる。従って処理装置２は本発明における証明書発行停止手段２ａを兼ねている。記憶部３は土地区画整理における土地情報、権利情報等のデータベースを格納すると共に、証明書発行に必要な情報等を記憶するもので、ＲＯＭ，ＲＡＭ、フラッシュメモリ等の半導体記憶装置のほかに、必要により磁気ディスクや光ディスクを備えた外部記憶装置を付加して構成される。
【００２０】
入力部４はキーボード、マウス等により構成され、前記土地情報、権利情報の入力や更新、仮換地の変更予告と変更完了の入力、証明書発行操作等を行うものである。従って入力部４は本発明における変更予告入力手段４ａと変更完了入力手段４ｂを兼ねている。表示部５は入力操作や出力操作時にその内容を表示するもので、液晶ディスプレー等により構成される。この表示部５は後述するように、仮換地証明書発行画面３０、保留地証明書発行画面４０または底地証明書発行画面５０等を表示するものであり、本発明における証明書発行表示部５ａを兼ねている。出力部６は証明書等をプリントアウトするもので、一般的なプリンターを用いることができる。
【００２１】
図２は表示部５に表示されるメニュー画面である。メニュー画面１０は仮換地モード１１、保留地モード１２、底地モード１３の３つの操作モードがあり、さらにデータの更新キー１４、変更予告キー１５、変更完了キー１６および終了キー１７が存在する。ここで仮換地モード１１は仮換地証明書を発行するモードであり、保留地モード１２は保留地証明書を発行するモードであり、底地モードは地図を含む底地証明書を発行するモードである。なお、これらモードの機能や作用等は前記特許文献１に記載された従来のものと同じであり、本発明の特徴部分の説明には直接関係しないので、その説明は省略する。
【００２２】
また、更新キー１４は土地情報や権利情報等のデータを更新するキーであり、変更予告キー１５は特定の仮換地に関する変更予告を行い、当該仮換地証明書の発行機能を停止する際に用いるキーであり、変更完了キー１６は変更が完了し、変更後のデータに更新された後に当該仮換地証明書の発行機能停止を解除する際に用いるキーである。さらに終了キー１７は各種の操作を終了する際に用いるキーである。なお、更新キー１４、終了キー１７の機能や作用等は前記特許文献１に記載された従来のものと同じであり、本発明の特徴部分の説明には直接関係しないので、その説明は省略する。
【００２３】
図３は仮換地証明書の例であり、この仮換地証明書１８には保留地としない仮換地に関する土地情報と権利者情報、証明者等が記載される。図４は保留地証明書の例であり、この保留地証明書１９には保留地に関する土地情報、権利者情報、証明者等が記載される。図５は底地証明書の例であり、この底地証明書２０には底地とそれに対応する仮換地に関する土地情報、証明者等が記載される。
【００２４】
図６は底地証明書２０に添付すべき地図２１である。出力部６からプリントアウトされる地図２１は、実線で示す土地整理前の底地の地形を構成する道路２２、底地２３と、土地整理後の仮換地２４と道路２５が重ねて示されている。そして前記処理装置２により、底地証明書２０に記載された底地に該当する部分には○印等のマーク２６が自動的に付される。
【００２５】
次に本発明に係る証明書発行システムの操作方法、特にその特徴部分である証明書発行機能の停止とその解除についての操作方法を図７〜図１３を参照して説明する。
【００２６】
（変更予告操作）
図７は変更予告操作のフローチャートである。先ずステップＳ１で図２に示すメニュー画面１０を呼び出す。ステップＳ２は仮換地モード等を選択するステップであり、ステップＳ３、Ｓ４は終了ステップである。これらを選択せず変更予告キー１５を選択（クリック）すると、ステップＳ５で処理装置２が変更予告と判断し、ステップＳ６で入力部４から入力する変更対象の仮換地の街区や画地情報を記憶部３に記憶する。
【００２７】
例えば仮換地の道路や地形が変更対象である場合、特定の街区全体が変更されるときは当該街区（例えば街区１０であれば「１０」の数字）のみを入力し、特定の街区における特定の画地だけが変更されるときは当該画地のみを入力すればそれが属する街区も自動的に入力されて記憶部３に記憶される。仮換地の権利関係が変更対象である場合は、権利変更される当該画地を入力するとその画地とそれが属する街区が自動的に入力され記憶部３に記憶される。
【００２８】
変更予告対象の仮換地に関する情報が入力されると、ステップＳ７でその仮換地情報は表示部５に表示され、それと共にステップＳ８で処理装置２が変更予告された当該仮換地に関する証明書の発行機能を停止する。ステップＳ８の処理が終了したら、ステップＳ１に戻り、例えば終了キー１７を選択するとりステップＳ３，Ｓ４で操作終了となる。
【００２９】
（変更完了操作）
図８は変更完了操作のフローチャートである。例えば仮換地の企画・設計の変更が完了し、記憶部３のデータベースがその変更内容に更新されたとき、または仮換地の権利情報の変更情報に基づいて記憶手段３のデータベースが更新されたとき、本操作を行って証明書発行機能の停止を解除する。
【００３０】
先ずステップＳ１で図２に示すメニュー画面１０を呼び出す。ステップＳ２は仮換地モード等を選択するステップであり、ステップＳ３，Ｓ４は終了ステップである。これらを選択せず変更完了キー１６を選択すると、ステップＳ１０で処理装置２が変更完了と判断し、ステップＳ１１で入力手段４から入力する変更完了対象の仮換地の街区や画地情報を記憶部３に記憶する。
【００３１】
変更完了対象の仮換地に関する情報が入力され記憶されると、ステップＳ１２でその仮換地情報は表示部５に表示され、それと共にステップＳ１３で処理部２は変更完了した当該仮換地に関する証明書の発行機能を停止する。ステップＳ１３の処理が終了したら、ステップＳ１に戻り、例えば終了キー１７を選択することによりステップＳ３，Ｓ４で操作終了となる。
【００３２】
（証明書発行操作）
図９、図１０は証明書発行操作のフローチャートである。先ずステップＳ１で表示部５に図２に示すメニュー画面１０を呼び出す。ステップＳ２は仮換地モード等を選択するステップであり、ステップＳ３，Ｓ４は終了ステップである。図３に示す仮換地証明書１８を発行する場合は仮換地モード１１を選択する。仮換地モード１１が選択されると、ステップＳ２からステップＳ２０に移り、そこで処理部２が仮換地（保留地でない仮換地）証明書の発行を選択したと判断し、ステップＳ２１で入力部４から入力される当該仮換地の街区や画地情報を基に、ステップＳ２２で図１１に示す当該仮換地に関する仮換地証明書発行画面３０を表示部５に表示する。
【００３３】
図１１に示す仮換地証明書発行画面３０には、所有者情報３１、仮換地明細３２、証明書出力キー３３が表示され、仮換地明細３２に発行マーク３４及び変更中であることのメッセージを表示するメッセージ部３５が含まれている。仮換地証明書１８の発行機能が作動（または発行機能の停止が解除）している状態にあると発行マーク３４にチェック記号が表示されており、仮換地証明書１８の発行機能が停止している状態であると発行マーク３４にはチェック記号が表示されていない。この仮換地証明書１８の発行機能の停止と解除の切換は、前記図７、図８のフローチャートによる操作によって処理装置２が自動的に行う。
【００３４】
次にステップＳ２３において、処理装置２は選択された仮換地に関して仮換地証明書１８の発行機能が停止しているか否か判断し、発行機能が停止していると判断したときは、ステップＳ２４で仮換地証明書発行画面３０のメッセージ部３５に変換中であることのメッセージを表示する。なおメッセージ部３５の表示は、例えば「変更中」という文字を赤字表示もしくは点滅表示などにし、操作者の注意を引くような形態とすることが望ましい。発行機能が停止している状態では証明書出力キー３３をクリックしても仮換地証明書１８の出力ができないので、ステップＳ１に戻る。
【００３５】
仮換地証明書１８の発行機能が最初から停止していないか、または停止が解除された状態にあると処理装置２が判断しているときは、発行マーク３４にチェック記号が表示されており且つメッセージ部３５に変更中であることのメッセージが表示されていないので、証明書出力キー３３をクリックするとステップＳ２５で仮換地証明書１８が出力部６からプリントアウトされる。
【００３６】
発行マーク３４のチェック記号は前記のように図７、図８のフローチャートによる操作によって自動的に表示または消去され、それと共に仮換地証明書の発行機能の停止と解除も連動して切り換えられる。しかし本実施形態では処理装置２に仮換地証明書の発行機能の停止状態を一時的に解除する手段、すなわち一時解除手段２ｂを設けている。具体的には入力部４から発行マーク３４をクリック操作するごとに、現状のチェック記号の状態を切換できるように処理装置２をプログラムしている。処理装置２にこのような一時解除手段２ｂを設けることにより、前記のように、当該仮換地が変更予告中であっても、特別な目的を持つ場合、または仮換地証明書１８の内容確認等が必要になった場合等には随時仮換地証明書１８を発行できるシステム構成に拡張できる。
【００３７】
次に図４に示す保留地証明書１９を発行する場合は、ステップＳ２のモード選択で保留地モード１２を選択する。保留地モード１２を選択するとステップＳ２からステップＳ２６に移り、そこで処理部２が保留地証明書１９の発行を選択したと判断し、ステップＳ２７で入力部４から入力される当該保留地の街区や画地情報を基に、ステップＳ２８で図１２に示す当該保留地に関する保留地証明書発行画面４０を表示部５に表示する。
【００３８】
図１２に示す保留地証明書発行画面４０には、所有者情報４１、保留地明細４２、証明書出力キー４３が表示され、保留地明細４２に発行マーク４４及び変更中であることのメッセージを表示するメッセージ部４５が含まれている。発行マーク４４にチェック記号が表示されているときは、保留地証明書１９の発行機能が解除されている状態であり、発行マーク４４にチェック記号が表示されていないときは保留地証明書１９の発行機能が停止されている状態である。この保留地証明書１９の発行機能の停止と解除の切換は、前記図７、図８のフローチャートによる操作によって自動的に行われる。
【００３９】
次にステップＳ２６において、処理装置２は選択された保留地に関してその保留地証明書１９の発行機能が停止しているか否か判断し、発行機能が停止していると判断したときは、ステップＳ３０で保留地証明書発行画面４０のメッセージ部４５に変換中であることのメッセージを表示する。なおメッセージ部４５の表示は図１１の例と同様にできる。保留地証明書１９の発行機能が停止している状態では証明書出力キー３３をクリックしても保留地証明書１９の出力ができないので、ステップＳ１に戻る。
【００４０】
保留地証明書１９の発行機能が最初から停止していないか、または停止が解除された状態にあると処理装置２が判断しているときは、発行マーク４４にチェック記号が表示されており、且つメッセージ部４５に変更中であることのメッセージが表示されていないので、証明書出力キー４３をクリックするとステップＳ３１で保留地証明書１９が出力部６からプリントアウトされる。
【００４１】
発行マーク４４のチェック記号は、前記のように図７、図８のフローチャートによる操作によって自動的に記入または消去されるが、仮換地証明書１８の例と同様に、本実施形態では処理装置２に保留地証明書の発行機能の停止状態を一時的に解除する手段、すなわち一時解除手段２ｂを設けている。具体的には入力部４から発行マーク３４をクリック操作するごとに、現状のチェック記号の状態を切換できるように処理装置２をプログラムしている。処理装置２にこのような一時解除手段２ｂを設けることにより、前記のように、当該保留地が変更予告中であっても、特別な目的を持つ場合、または保留地証明書１９の内容確認等が必要になった場合等には随時保留地証明書１９を発行できるシステム構成に拡張できる。
【００４２】
次に図５に示す底地証明書２０を発行し、それに関連付けられた地図２１（図６）を出力する場合は、ステップＳ２のモード選択で底地モード１３を選択する。底地モード１３を選択すると図９のステップＳ２から、矢印Ａに従って、図１０に示すステップＳ３２に移り、そこで処理部２が底地証明書２０の発行を選択したと判断し、ステップＳ３３で入力部４から入力される当該底地の街区や画地の情報を基に、ステップＳ３４で図１３に示す当該底地に関する底地証明書発行画面５０を表示部５に表示する。底地証明書発行画面５０には、当該底地を換地した仮換地の街区と画地を入力する仮換地入力部５１と、図５に示す底地証明書２０を出力する証明書出力キー５２が表示される。
【００４３】
次にステップＳ３５において、処理装置２は選択された底地に関してその底地証明書２０の発行機能が停止しているか否か判断し、発行機能が停止していると判断したときは、ステップ３６で底地証明書発行画面５０のメッセージ部５３に変換中であることのメッセージ（図示の例では「指定の街区・画地は変更中です」のメッセージ）を表示する。なお底地証明書２０の発行機能が停止している状態では証明書出力キー５２をクリックしても底地証明書２０の出力ができないので、ステップＳ１に戻る。
【００４４】
底地証明書２０の発行機能が最初から停止していないか、または停止が解除された状態にあると処理装置２が判断しているときは、メッセージ部５３に変更中であることのメッセージが表示されていないので、証明書出力キー５２をクリックするとステップＳ３７で底地証明書２０が出力部６からプリントアウトされ、さらにステップＳ３８で当該底地に関連付けられた地図２１が出力部６からプリントアウトされる。
【００４５】
底地証明書２０の発行機能は、前記のように図７、図８のフローチャートによる操作によって自動的に停止または解除されるが、本実施形態ではこの底地証明書２０の発行機能が停止している場合にそれを強制的に解除するための一時解除手段２ｂが処理装置２にプログラムによって設けられている。すなわち底地証明書２０の発行機能が停止されているときは、処理装置２により底地証明書発行画面５０に設けた一時解除キー５４に「出力しますか」という文字を表示する。この表示が出ているときに一時解除キー５４をクリックすると、発行機能の停止が強制的に解除される。処理装置２にこのような一時解除手段２ｂを設けることにより、前記のように、当該底地に関連する仮換地が変更予告中であっても、特別な目的を持つ場合、または底地証明書２０の内容確認が必要になった場合等には随時その底地証明書２０（および地図２１）を発行できるシステム構成に拡張できる。
【産業上の利用可能性】
【００４６】
本発明の証明書発行システムは、コンピュータにより土地区画整理中における仮換地証明書、保留地証明書または底地証明書等の発行を行うシステムに利用できる。
【図面の簡単な説明】
【００４７】
【図１】本発明に係る証明書発行システムの構成を説明するブロック図。
【図２】図１の表示部５に表示されるメニュー画面。
【図３】仮換地証明書の例を示す図。
【図４】保留地証明書の例を示す図。
【図５】底地証明書の例を示す図。
【図６】底地証明書に関連付けられた地図の例を示す図。
【００４８】
【図７】変更予告操作のフローチャート。
【図８】変更完了操作のフローチャート。
【図９】証明書発行操作のフローチャート。
【図１０】図９に連続する証明書発行操作のフローチャート。
【図１１】仮換地証明書発行画面。
【図１２】保留地証明書発行画面。
【図１３】底地証明書発行画面。
【符号の説明】
【００４９】
１    証明書発行システム
２    処理装置
２ａ  証明書発行停止手段
２ｂ  一時解除手段
３    記憶部
４    入力部
４ａ  変更予告入力手段
４ｂ  変更完了入力手段
５    表示部
５ａ  証明書発行表示部
６    出力部
１０    メニュー画面
【００５０】
１１    仮換地モード
１２    保留地モード
１３    底地モード
１４    更新キー１４
１５    変更予告キー
１６    変更完了キー
１７    終了キー
１８    仮換地証明書
１９    保留地証明書
２０    底地証明書
【００５１】
２１    地図
２２    道路
２３    底地
２４    仮換地
２５    道路
２６    マーク
３０    仮換地証明書発行画面
３１    所有者情報
３２    仮換地明細
３３    証明書出力キー
【００５２】
３４    発行マーク
３５    メッセージ部
４０    保留地証明書発行画面
４１    所有者情報
４２    保留地明細
４３    証明書出力キー
４４    発行マーク
４５    メッセージ部
５０    底地証明書発行画面
５１    仮換地入力部
５２    証明書出力キー
５３    メッセージ部
５４    一時解除キー
【図１】
2008033520.tif 000003
【図２】
2008033520.tif 000004
【図３】
2008033520.tif 000005
【図４】
2008033520.tif 000006
【図５】
2008033520.tif 000007
【図６】
2008033520.tif 000008
【図７】
2008033520.tif 000009
【図８】
2008033520.tif 000010
【図９】
2008033520.tif 000011
【図１０】
2008033520.tif 000012
【図１１】
2008033520.tif 000013
【図１２】
2008033520.tif 000014
【図１３】
2008033520.tif 000015